(57)【要約】【課題】  ２以上のユーザが表示領域に表示される画像を個別にユーザ操作する利用シーンに好適なモニタ装置を提供する。【解決手段】  モニタ装置は、第１表示領域及び第２表示領域を少なくとも含む表示領域を有するモニタと、前記第１表示領域に表示される第１画像に対する第１ユーザ操作を受け付けるとともに、前記第２表示領域に表示される第２画像に対する第２ユーザ操作を前記第１ユーザ操作とは独立して受け付ける所定制御を実行する制御部と、を備える。【選択図】  図２
2022003432.tif 000002
【特許請求の範囲】
【請求項１】
第１表示領域及び第２表示領域を少なくとも含む表示領域を有するモニタと、
前記第１表示領域に表示される第１画像に対する第１ユーザ操作を受け付けるとともに、前記第２表示領域に表示される第２画像に対する第２ユーザ操作を前記第１ユーザ操作とは独立して受け付ける所定制御を実行する制御部と、を備えるモニタ装置。
【請求項２】
前記制御部は、前記所定制御において、前記第１ユーザ操作及び前記第２ユーザ操作が同時に行われた場合であっても、前記第１ユーザ操作及び前記第２ユーザ操作を互いに独立したユーザ操作として受け付ける、請求項１に記載のモニタ装置。
【請求項３】
前記第１表示領域上で実行されるユーザ操作を前記第１ユーザ操作として検出し、前記第２表示領域上で実行されるユーザ操作を前記第１ユーザ操作とは独立して前記第２ユーザ操作として検出する検出部を備える、請求項１又は請求項２に記載のモニタ装置。
【請求項４】
前記制御部は、前記表示領域において画像を手書きで描画する手書きアプリケーションにおいて前記所定制御を実行する、請求項１乃至請求項３のいずれか１項に記載のモニタ装置。
【請求項５】
前記第１画像を記憶するとともに、前記第１画像とは独立して前記第２画像を記憶する記憶部を備える、請求項１乃至請求項４のいずれか１項に記載のモニタ装置。
【請求項６】
前記第１ユーザ操作は、前記第１表示領域において前記第１画像の移動を指示するユーザ操作であり、
前記第２ユーザ操作は、前記第２表示領域において前記第２画像の移動を指示するユーザ操作である、請求項１乃至請求項５のいずれか１項に記載のモニタ装置。
【発明の詳細な説明】
【技術分野】
【０００１】
本発明は、モニタ装置に関する。
【背景技術】
【０００２】
従来、表示領域を有するモニタ装置において、タッチユーザ操作などによって、表示領域に表示される画像の一部を表示領域においてユーザ操作する技術が知られている。具体的には、表示領域に表示される第１画像のユーザ操作を許容する一方で、表示領域に表示される第２画像のユーザ操作を許容しない技術が提案されている。例えば、画像のユーザ操作は、スクロール、ページ切替などのユーザ操作である（例えば、特許文献１）。
【先行技術文献】
【特許文献】
【０００３】
【特許文献１】特開２０１４−９２８２９号公報
【発明の概要】
【発明が解決しようとする課題】
【０００４】
しかしながら、近年では、モニタ装置の大型化に伴い、２以上のユーザが表示領域に表示される画像を個別にユーザ操作する利用シーンが想定される。
【０００５】
しかしながら、上述した技術では、このような利用シーンを想定しておらず、モニタ装置を適切に用いることができない。
【０００６】
そこで、本発明は、上述した課題を解決するためになされたものであり、２以上のユーザが表示領域に表示される画像を個別にユーザ操作する利用シーンに好適なモニタ装置を提供することを目的とする。
【課題を解決するための手段】
【０００７】
第１の特徴に係るモニタ装置は、第１表示領域及び第２表示領域を少なくとも含む表示領域を有するモニタと、前記第１表示領域に表示される第１画像に対する第１ユーザ操作を受け付けるとともに、前記第２表示領域に表示される第２画像に対する第２ユーザ操作を前記第１ユーザ操作とは独立して受け付ける所定制御を実行する制御部と、を備える。
【発明の効果】
【０００８】
本発明によれば、２以上のユーザが表示領域に表示される画像を個別にユーザ操作することを可能とするモニタ装置を提供することができる。
【図面の簡単な説明】
【０００９】
【図１】図１は、実施形態に係るモニタシステム１００の概略構成を示す図である。
【図２】図２は、実施形態に係るモニタ装置１０の機能ブロックを示す図である。
【図３】図３は、実施形態に係る検出部１０１を説明するための図である。
【図４】図４は、実施形態に係る表示態様を説明するための図である。
【図５】図５は、実施形態に係る表示態様を説明するための図である。
【図６】図６は、実施形態に係る表示態様を説明するための図である。
【図７】図７は、実施形態に係る表示態様を説明するための図である。
【図８】図８は、実施形態に係る表示態様を説明するための図である。
【００１０】
［開示の概要］
開示の概要に係るモニタ装置は、第１表示領域及び第２表示領域を少なくとも含む表示領域を有するモニタと、前記第１表示領域に表示される第１画像に対する第１ユーザ操作を受け付けるとともに、前記第２表示領域に表示される第２画像に対する第２ユーザ操作を前記第１ユーザ操作とは独立して受け付ける所定制御を実行する制御部と、を備える。
【００１１】
開示の概要によれば、制御部は、第１表示領域に表示される第１画像に対する第１ユーザ操作とは独立して、第２表示領域に表示される第２画像に対する第２ユーザ操作を受け付ける所定制御を実行する。このような構成によれば、２以上のユーザが表示領域に表示される画像を個別にユーザ操作する利用シーンに好適なモニタ装置を提供することができる。
【００１２】
［実施形態］
（モニタシステムの概略構成）
以下において、実施形態に係るモニタシステムの概略構成について説明する。図１は、実施形態に係るモニタシステム１００の概略構成を示す図である。具体的には、図１は、モニタシステム１００の正面視を示す図である。
【００１３】
図１に示すように、モニタシステム１００は、モニタ装置１０と、スタンド２０と、を有する。
【００１４】
モニタ装置１０は、静止画及び動画などの画像を表示する装置である。モニタ装置１０は、モニタ１１と、フレーム１２と、を有する。
【００１５】
モニタ１１は、画像を表示するディスプレイを構成する。特に限定されるものではないが、モニタ１１は４：３又は１６：９のアスペクト比を有してもよい。モニタ１１は、液晶パネルによって構成されてもよく、有機ELによって構成されてもよい。
【００１６】
フレーム１２は、モニタ１１を支持する。特に限定されるものではないが、フレーム１２はモニタ１１の外周の全体に亘って設けられてもよい。
【００１７】
スタンド２０は、モニタ装置１０が設けられる空間（例えば、教室や会議室など）の床面に設けられる。スタンド２０は、上下方向において床面から離間した状態でモニタ装置１０を支持する。スタンド２０は、支柱２１と、台座２２と、支持機構２３と、を有する。
【００１８】
支柱２１は、垂直方向に沿って延びており、モニタ装置１０を支持する。図１では、支柱２１として１対の支柱２１（支柱２１Ａ及び支柱２１Ｂ）が設けられるケースが例示されている。
【００１９】
台座２２は、１対の支柱２１に跨がって配置される。具体的には、台座２２は、１対の支柱２１に設けられる支持機構２３によって支持される。台座２２上にはパーソナルコンピュータなどが載置されてもよい。
【００２０】
支持機構２３は、台座２２が水平状態となるように台座２２を支持する。図１では、支持機構２３として１対の支柱のそれぞれに支持機構２３（支持機構２３Ａ及び支持機構２３Ｂ）が設けられるケースが例示されている。
【００２１】
ここで、支持機構２３は、支柱２１において上下方向に摺動可能に構成されていてもよい。例えば、支持機構２３は、支柱２１に支持機構２３を固定するロック機能、支柱２１に支持機構２３が固定された状態を解除する解除機能などを有していてもよい。支柱２１に支持機構２３を固定する固体位置は、予め定められた位置であってもよく、任意の位置であってもよい。すなわち、スタンド２０は、第１カメラ１３と台座２２との相対的な距離を変更可能に構成される。
【００２２】
（モニタ装置の機能ブロック）
以下において、実施形態に係るモニタ装置の機能ブロックについて説明する。図２は、実施形態に係るモニタ装置１０の機能ブロックを示す図である。
【００２３】
図２に示すように、モニタ装置１０は、検出部１０１と、記憶部１０２と、制御部１０３と、を有する。
【００２４】
検出部１０１は、モニタ１１に対するユーザ操作を検出する。ユーザ操作は、モニタ１１上の座標を指定するユーザ操作であり、ユーザの身体の一部（例えば、指）を用いて実行されてもよく、スタイラスペンを用いて実行されてもよい。ユーザ操作は、モニタ１１に対するタップユーザ操作を含んでもよく、モニタ１１に対するタッチユーザ操作を含んでもよい。タップユーザ操作及びタッチユーザ操作は、モニタ１１に対する接触ユーザ操作であってもよく、モニタ１１に対する接触を伴わずに、モニタ１１に対する近接ユーザ操作であってもよい。
【００２５】
例えば、検出部１０１は、赤外線センサによって実現されてもよい。具体的には、図３に示すように、検出部１０１は、モニタ１１の表面に沿って放射される赤外線の遮断によってユーザ操作の座標を検出してもよい。ここで、モニタ１１の表面に沿って放射される赤外線は、垂直方向の赤外線１６Ａ、水平方向の赤外線１６Ｂ、左上方向の赤外線１６Ｃ、右上方向の赤外線１６Ｄを含んでもよい。赤外線１６Ａ〜赤外線１６Ｄは、所定間隔で平行に放射される。
【００２６】
このような前提下において、モニタ１１は、第１表示領域３０Ａ及び第２表示領域３０Ｂを少なくとも有する表示領域３０を有する。ここで、第１表示領域３０Ａ及び第２表示領域３０Ｂは、１つの表示領域３０に含まれる領域であることに留意すべきである。従って、赤外線１６Ａ〜赤外線１６Ｄは、第１表示領域３０Ａ及び第２表示領域３０Ｂを跨がって放射され得る。図３では、表示領域３０の右半分が第１表示領域３０Ａであり、表示領域の左半分が第２表示領域３０Ｂであるケースが例示されている。
【００２７】
実施形態では、検出部１０１は、第１表示領域３０Ａ上で実行されるユーザ操作を第１ユーザ操作として検出し、第２表示領域上で実行されるユーザ操作を第１ユーザ操作とは独立して第２ユーザ操作として検出する。
【００２８】
記憶部１０２は、揮発性メモリ、不揮発性メモリ、HDD（Hard Disk Drive）などの記憶媒体によって構成される。記憶部１０２は、第１表示領域３０Ａに表示される第１画像を記憶するとともに、第２表示領域３０Ｂに表示される第２画像を第１画像とは独立して記憶する。
【００２９】
例えば、モニタ装置１０において手書きアプリケーションが実行される場合においては、第１画像は、第１表示領域３０Ａに描画された画像であってもよく、第２画像は、第２表示領域３０Ｂに描画された画像であってもよい。
【００３０】
制御部１０３は、少なくとも１つのプロセッサを含んでもよい。少なくとも１つのプロセッサは、単一の集積回路によって構成されてもよく、通信可能に接続された複数の回路（集積回路及び又はディスクリート回路（discrete circuits）など）によって構成されてもよい。
【００３１】
実施形態では、制御部１０３は、第１表示領域３０Ａに表示される第１画像に対する第１ユーザ操作を受け付けるとともに、第２表示領域３０Ｂに表示される第２画像に対する第２ユーザ操作を前記第１ユーザ操作とは独立して受け付ける所定制御を実行する。制御部１０３は、所定制御において、第１ユーザ操作及び第２ユーザ操作が同時に行われた場合であっても、第１ユーザ操作及び第２ユーザ操作を互いに独立したユーザ操作として受け付ける。
【００３２】
ここで、画像に対するユーザ操作は、画像のスクロール、画像のページ切替などのユーザ操作である。従って、画像に対するユーザ操作は、画像を描画するユーザ操作とは異なる。例えば、第１ユーザ操作は、第１表示領域３０Ａにおいて第１画像の移動を指示するユーザ操作であり、第２ユーザ操作は、第２表示領域において第２画像の移動を指示するユーザ操作であってもよい。
【００３３】
（利用シーン）
以下において、実施形態の利用シーンについて説明する。利用シーンでは、表示領域３０において画像を手書きで描画する手書きアプリケーションについて例示する。すなわち、上述した所定制御が手書きアプリケーションにおいて実行されるケースについて例示する。
【００３４】
図４に示すように、モニタ１１の表示領域３０の右半分が第１表示領域３０Ａであり、モニタ１１の表示領域３０の左半分が第２表示領域３０Ｂであるケースについて説明する。ここで、第１表示領域３０Ａには、第１ユーザによって描画された第１画像が表示され、第２表示領域３０Ｂには、第２ユーザによって描画された第２画像が表示される。
【００３５】
ここで、第２表示領域３０Ｂにおいて第２画像（図４では、Ａ … 〜 Ｉ …）の続きを描画するための余白がなくなり、第２ユーザが第２画像の描画を継続するケースについて説明する。
【００３６】
図５に示すように、第２ユーザは、第２表示領域３０Ｂにおいて第２画像の描画を継続するために、第２表示領域３０Ｂにおいて第２画像を上方向に移動する第２ユーザ操作を実行する。
【００３７】
特に限定されるものではないが、第２ユーザ操作は、第２表示領域３０Ｂ上において指を上方向にスライド（又は、フリック）するユーザ操作であってもよい。但し、第２ユーザ操作は、これに限定されるものではなく、画像の移動を示すアイコンを含むツールボックスを第２表示領域３０Ｂに表示させた上で、画像の移動を示すアイコンをタップするユーザ操作であってもよい。
【００３８】
このような操作の結果、図６に示すように、図５に示す第２画像が第２表示領域３０Ｂにおいて上方向に移動するため、第２画像の続きを描画するための余白が第２表示領域３０Ｂに生まれる。ここで、第２ユーザ操作は、第１ユーザ操作とは独立して受け付けられるため、第１表示領域３０Ａに表示される第１画像は移動しないことに留意すべきである。
【００３９】
さらに、第１表示領域３０Ａにおいて第１画像（図７では、Ａ … 〜 Ｉ …）の続きを描画するための余白がなくなり、第１ユーザが第１画像の描画を継続するケースについて説明する。一方で、第２ユーザは、第２表示領域３０Ｂに表示されていない第２画像（図７では、Ａ … 〜 Ｇ …）を見直すケースについて説明する。
【００４０】
図７に示すように、第１ユーザは、第１表示領域３０Ａにおいて第１画像の描画を継続するために、第１表示領域３０Ａにおいて第１画像を上方向に移動する第１ユーザ操作を実行する。同時に、第２ユーザは、第２表示領域３０Ｂにおいて第２画像を見直すために、第２表示領域３０Ｂにおいて第２画像を下方向に移動する第２ユーザ操作を実行する。
【００４１】
特に限定されるものではないが、第１ユーザ操作は、第１表示領域３０Ａ上において指を上方向にスライド（又は、フリック）するユーザ操作であってもよい。但し、第１ユーザ操作は、これに限定されるものではなく、画像の移動を示すアイコンを含むツールボックスを第１表示領域３０Ａに表示させた上で、画像の移動を示すアイコンをタップするユーザ操作であってもよい。同様に、第２ユーザ操作は、第２表示領域３０Ｂ上において指を下方向にスライド（又は、フリック）するユーザ操作であってもよい。但し、第２ユーザ操作は、これに限定されるものではなく、画像の移動を示すアイコンを含むツールボックスを第２表示領域３０Ｂに表示させた上で、画像の移動を示すアイコンをタップするユーザ操作であってもよい。
【００４２】
このような操作の結果、図８に示すように、図７に示す第１画像が第１表示領域３０Ａにおいて上方向に移動するため、第１画像の続きを描画するための余白が第１表示領域３０Ａに生まれる。一方で、図７に示す第２画像が第２表示領域３０Ｂにおいて下方向に移動するため、過去に描画された第２画像が第２表示領域３０Ｂに表示される。ここで、第１ユーザ操作及び第２ユーザ操作が同時に実行された場合であっても、第２ユーザ操作は、第１ユーザ操作とは独立して受け付けられるため、第１表示領域３０Ａに表示される第１画像及び第２表示領域３０Ｂに表示される第２画像は異なる方向に移動する。
【００４３】
（作用及び効果）
実施形態では、制御部１０３は、第１表示領域３０Ａに表示される第１画像に対する第１ユーザ操作とは独立して、第２表示領域３０Ｂに表示される第２画像に対する第２ユーザ操作を受け付ける所定制御を実行する。このような構成によれば、２以上のユーザが表示領域に表示される画像を個別にユーザ操作する利用シーンに好適なモニタ装置を提供することができる。
【００４４】
上述した所定制御は、第１表示領域３０Ａ上で実行される第１ユーザ操作とは独立して、第２表示領域３０Ｂ上で実行される第２ユーザ操作を検出部１０１が検出することによって実現されてもよい。上述した所定制御は、第１表示領域３０Ａに表示される第１画像とは独立して、第２表示領域３０Ｂに表示される第２画像を記憶部１０２が記憶することによって実現されてもよい。
【００４５】
実施形態では、記憶部１０２は、第１画像とは独立して第２画像を記憶する。このような構成によれば、例えば、手書きアプリケーションが実行される場合において、ユーザ毎に画像を記憶することができる。従って、記憶部１０２に記憶された画像をユーザ毎に配布することも可能である。例えば、上述した利用シーンを例に挙げると、第１画像を第１ユーザに配布し、第２画像を第２ユーザに配布することができる。
【００４６】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００４７】
実施形態では、検出部１０１は、赤外線を用いた方式でユーザ操作の座標を検出する。しかしながら、実施形態はこれに限定されるものではない。検出部１０１は、感圧方式又は静電容量方式でユーザ操作の座標を検出してもよい。
【００４８】
実施形態では、表示領域３０に含まれる個別の表示領域の数が２つであるケースについて例示した。しかしながら、実施形態はこれに限定されるものではない。表示領域３０に含まれる個別の表示領域の数は３つ以上であってもよい。
【００４９】
実施形態では、画像に対するユーザ操作は、画像のスクロール、画像のページ切替などのユーザ操作である。しかしながら、実施形態はこれに限定されるものではない。画像に対するユーザ操作は、画像の拡大及び画像の縮小などのユーザ操作を含んでもよい。
【００５０】
実施形態では特に触れていないが、モニタ装置１０で実行されるアプリケーションは、パーソナルコンピュータ、タブレット端末、スマートフォンなどと連携して実行されてもよい。
【符号の説明】
【００５１】
１０…モニタ装置、１１…モニタ、１２…フレーム、２０…スタンド、２１…支柱、２２…台座、３０…表示領域、３０Ａ…第１表示領域、３０Ｂ…第２表示領域、１００…モニタシステム、１０１…検出部、１０２…記憶部、１０３…制御部
【図１】
2022003432.tif 000003
【図２】
2022003432.tif 000004
【図３】
2022003432.tif 000005
【図４】
2022003432.tif 000006
【図５】
2022003432.tif 000007
【図６】
2022003432.tif 000008
【図７】
2022003432.tif 000009
【図８】
2022003432.tif 000010